(57)【要約】【課題】入金を制限できる入金機を提供することを目的とする。【解決手段】本発明の入金機１は、登録認証コードＣＤＲを記憶する記憶装置１６と、貨幣を収納する貨幣収納箱１１と、貨幣収納箱１１に貨幣を搬送する入金装置１２と、入金装置１２を、入金を許可する許可状態と入金を制限する制限状態とで切り換え可能な制御装置１０と、を備えた入金機１であって、入金機１は認証コードＣＤを読み取り可能なコード読取装置１５を備え、制御装置１０は、コード読取装置１５で読み取られた認証コードＣＤと登録認証コードＣＤＲとの相互認証がなされた場合、入金装置１２を制限状態から許可状態に切り替える。【選択図】図１
2019219754.tif 000002
【特許請求の範囲】
【請求項１】
登録認証コードを記憶する記憶装置と、貨幣を収納する貨幣収納箱と、前記貨幣収納箱に貨幣を搬送する入金装置と、
前記入金装置を、入金を許可する許可状態と入金を制限する制限状態とで切り換え可能な制御装置と、を備えた入金機であって、
前記入金機は認証コードを読み取り可能なコード読取装置を備え、
前記制御装置は、前記コード読取装置で読み取られた認証コードと前記登録認証コードとの相互認証がなされた場合、前記入金装置を前記制限状態から前記許可状態に切り替える
ことを特徴とする入金機。
【請求項２】
前記制御装置は、入金がなされると、前記記憶装置に、前記入金に関する入金情報を前記登録認証コードに紐づけて記憶させる
ことを特徴とする請求項１に記載の入金機。
【請求項３】
前記制御装置は、前記相互認証がなされた場合、前記記憶装置に対して、前記登録認証コードを追加登録又は抹消登録可能にする
ことを特徴とする請求項１又は請求項２に記載の入金機。
【発明の詳細な説明】
【技術分野】
【０００１】
本発明は、入金機に関するものである。
【背景技術】
【０００２】
従来、小売店の店舗内に設置され、売上金を入金する投入部と、投入された売上金の入金額を印字する印字部とを備えた入金機がある（特許文献１参照）。
【先行技術文献】
【特許文献】
【０００３】
【特許文献１】特開平６−２６６９６３号公報
【発明の概要】
【発明が解決しようとする課題】
【０００４】
しかしながら、従来の入金機は、誰でも入金でき、入金額を確認できるものであるので、秘密性を確保できない等、管理上の問題があった。
本発明は、上記事情に鑑みてなされたものであり、入金を制限できる入金機を提供することを目的とする。
【課題を解決するための手段】
【０００５】
上記目的を達成するために、本発明は以下の構成によって把握される。
（１）本発明の入金機は、登録認証コードを記憶する記憶装置と、貨幣を収納する貨幣収納箱と、前記貨幣収納箱に貨幣を搬送する入金装置と、前記入金装置を、入金を許可する許可状態と入金を制限する制限状態とで切り換え可能な制御装置と、を備えた入金機であって、前記入金機は認証コードを読み取り可能なコード読取装置を備え、前記制御装置は、前記コード読取装置で読み取られた認証コードと前記登録認証コードとの相互認証がなされた場合、前記入金装置を前記制限状態から前記許可状態に切り替える。
（２）上記（１）の構成において、前記制御装置は、入金がなされると、前記記憶装置に、前記入金に関する入金情報を前記登録認証コードに紐づけて記憶させる。
（３）上記（１）又は（２）の構成において、前記制御装置は、前記相互認証がなされた場合、前記記憶装置に対して、前記登録認証コードを追加登録又は抹消登録可能にする。
【発明の効果】
【０００６】
本発明によれば、入金を制限できる入金機を提供できる。
【図面の簡単な説明】
【０００７】
【図１】本実施形態に係る入金機を備えた入金機管理システムの構成図である。
【図２】本実施形態に係る入金機を備えた入金機管理システムのブロック図である。
【図３】本実施形態に係る入金機の制御装置に関する制御処理手順を示すフローチャートである。
【図４】図３におけるＡに続く制御処理手順を示すフローチャートである。
【図５】入金情報を示す図である。
【図６】登録認証コードと権限種別コードとの関係を示す参照テーブルである。
【図７】第６登録認証コードが追加された参照テーブルである。
【発明を実施するための形態】
【０００８】
（実施形態）
以下、図面を参照して本発明を実施するための形態（以下、実施形態）について詳細に説明する。なお、実施形態の説明の全体を通して同じ要素には同じ番号又は符号を付している。なお、以下、特に説明のない限り、貨幣は、紙幣及び硬貨の両方を含む概念を意味する。
【０００９】
図１は、本実施形態に係る入金機１を備えた入金機管理システム１００の構成図である。図２は、本実施形態に係る入金機１を備えた入金機管理システム１００のブロック図である。
【００１０】
図１に示すように、入金機管理システム１００は、貨幣収納部Ｓを有する入金機１と、管理サーバ２と、携帯端末３と、を備えている。入金機１と、管理サーバ２と、携帯端末３とは、インターネット等のネットワークＮＥＴを介して、互いに通信可能に接続されている。
【００１１】
（管理サーバ２）
管理サーバ２は、通常、入金機１が設置されている場所（例えば、小売店の店舗）を基準とする遠隔地（例えば、銀行）に設置されている。管理サーバ２は、ネットワークＮＥＴに接続可能な管理サーバ通信装置２１を有している。管理サーバ２は、ＣＰＵ及びメモリ等を含む制御装置２０を有している。管理サーバ２は、認証コードＣＤの記憶が可能となっている。なお、管理サーバ２は、通常、管理サーバ２の管理者によって管理されている。
【００１２】
（携帯端末３）
携帯端末３は、例えば、いわゆるスマートフォンであり、少なくとも、ＱＲコード（登録商標）等の二次元コード又はバーコード等の一次元コード等の認証コードＣＤを表示可能な表示装置３２を有している。表示装置３２は、例えば、有機ＥＬディスプレイ、液晶ディスプレイ等である。なお、二次元コード又は一次元コードは、ユーザが入金機１の機能（トリガボタンＴｒ）を利用する度に、管理サーバ２から時限的に発行（送信）されるようにしてもよい。
また、携帯端末３は、ネットワークＮＥＴに接続可能な携帯端末通信装置３１を有している。また、携帯端末３は、入金機１に対してブルートゥース（登録商標）等の近距離無線通信を可能にする近距離無線通信装置３３を有している。携帯端末３は、ＣＰＵ及びメモリ等を含む制御装置３０を有している。
【００１３】
（入金機１）
入金機１は、通常、管理サーバ２が設置されている場所（例えば、銀行）を基準とする遠隔地（例えば、小売店の店舗）に設置されている。
【００１４】
入金機１は、貨幣を収納する貨幣収納部Ｓを備えている。入金機１は、貨幣収納部Ｓに、着脱自在な貨幣収納箱１１を有している。入金機１は、二次元コード又は一次元コードの認証コードＣＤを読み取り可能なコード読取装置１５を有している。入金機１は、入金装置１２、ロック装置１３、出力装置１４、権限種別コードＵＩＤの記憶及び登録認証コードＣＤＲの記憶が可能な記憶装置１６、入金機通信装置１８、コード読取装置１５を起動するトリガボタンＴｒと、を有している。
【００１５】
貨幣収納箱１１は、貨幣を収納するものであり、内部に貨幣の収納空間を有する箱状のものである。貨幣収納箱１１は、内部にある貨幣の収納空間が、入金装置１２から搬送される貨幣の搬送路に対して、連通可能になっている。貨幣収納箱１１は、入金機１に設けられた金庫扉１７Ａを開けることにより、入金機１の内部から取り出したり、装着したりできるように、入金機１の内部に収められている。すなわち、貨幣収納箱１１は、入金機１の貨幣収納部Ｓに対して着脱自在になっている。
【００１６】
入金装置１２は、入金機１の前面に設けられた貨幣挿入口から挿入された貨幣を貨幣収納箱１１まで搬送するものである。入金装置１２は、貨幣挿入口から貨幣収納箱１１までの搬送路上に、適宜、貨幣の種類（金額）を識別する貨幣識別装置（不図示）を有している。なお、入金装置１２は、適宜、識別不能な紙幣、硬貨等を返却する機能を有している。
また、入金装置１２は、制御装置１０によって制御されることにより、入金を許可する許可状態と入金を制限する制限状態とで切り換え可能になっている。具体的には、入金装置１２は、許可状態において貨幣挿入口から挿入された貨幣を貨幣収納箱１１まで搬送する動作を行い、制限状態においてその動作を停止する、すなわち、貨幣挿入口に貨幣が挿入されてもその貨幣を搬送しないようになっている。
【００１７】
ロック装置１３は、貨幣収納箱１１を入金機１の内部空間に収めた状態で金庫扉１７Ａを解錠する解錠状態と、金庫扉１７Ａを施錠する施錠状態とで切換可能なロック機能を有している。
【００１８】
出力装置１４は、記憶装置１６に記憶されたログ情報及びログ情報に基づく演算結果等を出力するものである。出力装置１４は、例えば、入金機１の前面に設けられたディスプレイであってよい。なお、出力装置１４は、入金情報ＬＯＧを含むログ情報を印字可能なプリンタ、ログ情報を音声出力するスピーカ等であってもよい。
ログ情報は、例えば、入金機１が、経時的にどのように動作したかに関する情報、言い換えると、誰が、どの被制御装置（入金装置１２、ロック装置１３等）を、いつ、どのように動作させたかに関する情報である。ログ情報は、例えば、入金履歴、回収履歴及び参照履歴等である。
特に、入金情報ＬＯＧは、入金機１の入金装置１２に対する、相互認証した登録認証コードＣＤＲ、入金した貨幣の種類及び数量、入金額ＩＮ、入金時刻ｙｍｄｈｍｓ、入金総額Ｔ等を示す入金履歴に関する情報である。
【００１９】
コード読取装置１５は、例えば、カメラと、カメラで撮像した画像を所望のデータに変換する変換プログラムを備えており、携帯端末３の表示装置３２等に表示された、ＱＲコード等の二次元コード又はバーコード等の一次元コードを読み取り可能な装置である。コード読取装置１５は、二次元コード等を読み取りやすくするため、入金機１の前面に設けられている。
【００２０】
記憶装置１６は、権限種別コードＵＩＤ、入金情報ＬＯＧ等を記憶するものである。記憶装置１６は、制御装置１０を駆動する制御プログラムを記憶している。
【００２１】
金庫扉１７Ａは、貨幣収納箱１１が収容される入金機１の内部空間の開口部に対して開状態と閉状態との間で揺動可能な扉である。金庫扉１７Ａは、ロック装置１３によって、施錠状態又は解錠状態に切換可能になっている。
【００２２】
メンテナンス扉１７Ｂは、入金機１の内部機構（不図示）を露出させて、例えば、紙幣詰まりの除去のためのユーザのアクセスを可能にするものであり、開状態と閉状態との間で揺動可能な扉である。メンテナンス扉１７Ｂは、物理キーによって解錠状態又は施錠状態に切換可能になっていてもよい。
【００２３】
入金機通信装置１８は、有線又は無線の各種通信規格により、入金機１からの入金情報ＬＯＧ等の情報を、ネットワークＮＥＴを介して管理サーバ２又は携帯端末３に送信し、それらからの情報を受信することが可能なものである。
【００２４】
近距離無線通信装置１９は、携帯端末３に対してブルートゥース等の近距離無線通信を可能にするものである。
【００２５】
トリガボタンＴｒは、接触型又は非接触型の適宜のスイッチであり、主に、コード読取装置１５を起動するものである。
【００２６】
（管理サーバ２の制御装置２０）
図２に示すように、管理サーバ２の制御装置２０は、管理サーバ通信装置２１を制御する管理サーバ通信制御部２２１を備えている。管理サーバ通信装置２１はネットワークＮＥＴに接続されており、ネットワークＮＥＴに接続された、入金機１及び携帯端末３に対して情報の送受信を行う。なお、管理サーバ２は、適宜、携帯端末３及び入金機１のそれぞれに対して、相互認証可能なワンタイムパスワードを発行する。なお、制御装置２０は、適宜、ＣＰＵ及びメモリ等（不図示）を有している。
【００２７】
（携帯端末３の制御装置３０）
携帯端末３の制御装置３０は、携帯端末通信装置３１を制御する携帯端末通信制御部３３１を備えている。携帯端末通信装置３１はネットワークＮＥＴに接続されており、ネットワークＮＥＴに接続された、入金機１及び管理サーバ２に対して情報の送受信を行う。また、制御装置３０は、表示装置３２を制御する表示制御部３３２を備えている。制御装置３０は、近距離無線通信装置３３を制御する近距離無線通信制御部３３３を備えている。
【００２８】
（入金機１の制御装置１０）
以下、入金機１の制御装置１０について詳細に説明する。
図５は、入金情報ＬＯＧを示す図である。
【００２９】
図２に示すように、入金機１の制御装置１０は、入金装置１２を制御する入金制御部１１２と、ロック装置１３を制御するロック制御部１１３と、出力装置１４を制御する出力制御部１１４と、コード読取装置１５を制御するコード読取制御部１１５と、記憶装置１６を制御する記憶部１１６と、入金機通信装置１８を制御する入金機通信部１１８と、近距離無線通信装置１９を制御する近距離無線通信部１１９と、を有している。
なお、制御装置１０は、適宜、ＣＰＵ及びメモリ等（不図示）を有している。
【００３０】
記憶部１１６は、入金権限を有するユーザ（例えば、店舗の店員）、並びに、入金権限及びユーザ登録権限を有するユーザ（例えば、店舗の店長）の権限種別コードＵＩＤ等を記憶する。また、記憶部１１６は、入金機１との相互認証を行ったユーザのコード読取装置１５が読み取った認証コードＣＤに対応する、権限種別コードＵＩＤ、入金額ＩＮ、入金した貨幣の種類ごとの枚数（一万円札の枚数、五千円札の枚数、千円札の枚数等）、入金総額Ｔ等を示す入金情報ＬＯＧを記憶する。記憶部１１６は、制御装置１０を駆動する制御プログラムを記憶している。
【００３１】
制御装置１０は、コード読取装置１５で読み取られた認証コードＣＤと登録認証コードＣＤＲとの相互認証がなされた場合、入金装置１２を制限状態から許可状態に切り替える。なお、認証コードＣＤは、ＱＲコード等の二次元コードであってよく、バーコード等の一次元コードであってもよい。
ここで、記憶装置１６に記憶された第１権限種別コードＵＩＤ１に紐づけられたユーザ（登録認証コードＣＤＲに対応する認証コードＣＤを所有するユーザ）は、入金権限及びユーザ登録権限を有するものとし、記憶装置１６に記憶された第２権限種別コードＵＩＤ２に紐づけられたユーザ（登録認証コードＣＤＲに対応する認証コードＣＤを所有するユーザ）は、入金権限のみを有するものとする（図６参照）。このようにすることで、ユーザに対して、権限種別コードＵＩＤに応じて異なる入金機１の制御権限を付与できる。
【００３２】
具体的には、制御装置１０は、あらかじめ記憶部１１６に記憶された制御プログラムにより、コード読取装置１５から読み取られた認証コードＣＤ（又は認証コードＣＤを復号したデータ）と、記憶装置１６に登録された登録認証コードＣＤＲ（登録認証コードＣＤＲを復号したデータ又は権限種別コードＵＩＤを復号したデータ）とを比較し、両者が一致した場合、すなわち、相互認証がなされた場合に、入金装置１２を制御して、許可状態にする。なお、相互認証は、管理サーバ２から時限的に送信された認証コードＣＤと、コード読取装置１５から読み取られた認証コードＣＤとの比較による、いわゆるワンタイムパスワードによって行ってもよい。
したがって、記憶装置１６に登録された登録認証コードＣＤＲに対応する認証コードＣＤを所有するユーザ（例えば、店長及び店員）は、入金機１のコード読取装置１５によって認証コードＣＤを読み取らせることで、入金装置１２を許可状態にし、入金機１に貨幣を入金できる。よって、入金機１は、認証されない者からの入金を制限できる。
【００３３】
制御装置１０は、入金がなされると、記憶装置１６に、入金に関する入金情報ＬＯＧを認証コードＣＤに紐づけて記憶させる。
ここで、入金情報ＬＯＧは、例えば、図５に示すように、入金機１との相互認証を行ったユーザのコード読取装置１５が読み取った認証コードＣＤに対応する、権限種別コードＵＩＤ、入金額ＩＮ、入金した貨幣の種類ごとの枚数（一万円札の枚数、五千円札の枚数、千円札の枚数等）、入金総額Ｔ等である。例えば、図５において、最新の入金情報ＬＯＧは、記憶装置１６に記憶された第１権限種別コードＵＩＤ１に紐づけられた第１認証コードＣＤ１を有するユーザにより、２０１８年５月２８日１６時３０分００秒に、３枚の一万円札からなる、３０，０００円相当の入金額ＩＮが入金され、入金総額Ｔが１０１，０００円になったことを示している。
これにより、記憶装置１６に、誰が、いつ、どのような貨幣の種類を、どれだけ入金し、入金総額Ｔがいくらであるかの履歴が残るので、入金情報ＬＯＧの参照権限のあるユーザ、例えば、店舗の店長は、入金を確実に管理できる。
【００３４】
また、制御装置１０は、コード読取装置１５から読み取られた認証コードＣＤ（又は認証コードＣＤを復号したデータ）と、記憶装置１６に登録された登録認証コードＣＤＲ（登録認証コードＣＤＲを復号したデータ又は権限種別コードＵＩＤを復号したデータ）とを比較し、両者が一致した場合、すなわち、相互認証がなされた場合に、記憶装置１６に対して、登録認証コードＣＤＲを追加登録又は抹消登録可能にする。
【００３５】
具体的には、制御装置１０は、あらかじめ記憶部１１６に記憶された制御プログラムにより、コード読取装置１５から読み取られた認証コードＣＤを復号したデータ（文字列等）と、記憶装置１６に登録された登録認証コードＣＤＲ（又は権限種別コードＵＩＤを復号したデータ）とを比較し、両者が一致した場合、すなわち、相互認証がなされた場合に、記憶部１１６に対して登録認証コードＣＤＲを追加したり、既に記憶されている登録認証コードＣＤＲを削除したりできるように、記憶部１１６に記憶されたデータの変更の制限を解除する。
これにより、ユーザ（例えば、店舗の店長）は、入金機１との相互認証がなされれば、入金機１に未登録の入金権限を与えたいユーザ（例えば、店舗の店員）の認証コードＣＤを、記憶装置１６に対して追加して登録でき、又は、既に登録された登録認証コードＣＤＲを抹消できる。
【００３６】
また、制御装置１０は、相互認証がなされた場合に、携帯端末３との近距離無線通信を可能にする。具体的には、制御装置１０の近距離無線通信部１１９は、近距離無線通信装置１９を制御し、近距離無線通信装置１９と携帯端末３の近距離無線通信装置３３との間でデータを送受信可能にする。
これにより、ユーザは、入金機１のインターフェースを操作することなく、携帯端末３を用いて、簡単に、入金機１に対してデータを送受信したり、入金機１の機能を変更したりできる。例えば、店舗の店長は、入金機１に対して特別な操作をすることなく、携帯端末３に設けられた携帯付属コード読取装置（不図示）によって、入金権限を与えたいユーザ（例えば、店舗の店員）の認証コードＣＤを、記憶装置１６に対して追加して登録でき、又は、既に登録された登録認証コードＣＤＲを抹消できる。また、例えば、店舗の店長は、入金機１に対して特別な操作をすることなく、携帯端末３によって、貨幣収納箱１１に収納された貨幣総額に相当する入金総額Ｔを含む入金情報ＬＯＧを受信して読み取ることができる。
【００３７】
制御装置１０は、相互認証ができた場合、管理サーバ２に相互認証情報を送信してもよい。これにより、管理サーバ２の管理者は、入金機１の入金情報ＬＯＧを確認できるので、高いセキュリティを確保できる。
【００３８】
（入金装置１２の制御処理手順）
次に、入金機１における入金装置１２の制御処理手順を説明する。
図３は、本実施形態に係る入金機１の制御装置１０に関する制御処理手順を示すフローチャートである。図４は、図３におけるＡに続く制御処理手順を示すフローチャートである。図５は、入金情報ＬＯＧを示す図である。
【００３９】
はじめに、入金機１のコード読取装置１５は停止状態になっている。また、入金機１の入金装置１２は制限状態になっている。すなわち、入金機１は、ユーザが入金できない状態になっている。
なお、制御装置１０に関する制御処理手順における各処理の段階で、制御装置１０は、出力装置１４を制御して、ユーザに向けて次の動作を誘導したり、完了した処理内容を示したりするような、表示、音声等のガイダンスを出力してもよい。
【００４０】
図３に示すように、入金機１の制御装置１０は、入金機１に電源（不図示）からの電力が投入されることに伴い、起動する（ＳＴＡＲＴ）。
【００４１】
制御装置１０は、入金機１に設けられたトリガボタンＴｒが押されるまで待機する（ステップＳ１）。
そして、制御装置１０は、トリガボタンＴｒが押されると（ステップＳ１においてＹＥＳ）、コード読取装置１５を起動する（ステップＳ２）。なお、適宜、トリガボタンＴｒが押されてから所定の時間が経過した場合にコード読取装置１５による読み取り動作を中止するタイマを作動する。なお、制御装置１０は、適宜、コード読取装置１５を起動することに伴い、管理サーバ２に対して、時限的に発行される登録認証コードＣＤＲ及び認証コードＣＤ（ワンタイムパスワード）を、それぞれ入金機１及び携帯端末３に送信することを要求してもよい。
【００４２】
制御装置１０は、コード読取装置１５によって認証コードＣＤを読み取るまで所定時間待機する（ステップＳ３）。
【００４３】
制御装置１０は、コード読取装置１５によって認証コードＣＤを読み取ると（ステップＳ３においてＹＥＳ）、読み取った認証コードＣＤが記憶装置１６に記憶された登録認証コードＣＤＲのいずれかと一致するか否かを判定する（ステップＳ４）。
【００４４】
ステップＳ４における判定の結果、読み取った認証コードＣＤが記憶装置１６に記憶された登録認証コードＣＤＲでない場合（読み取った認証コードＣＤと登録認証コードＣＤＲとの相互認証がなされない場合）（ステップＳ４においてＮＯ）、入金機１の制御装置１０による入金装置１２の制御処理を終了する（ＥＮＤ）。
【００４５】
ステップＳ４における判定の結果、読み取った認証コードＣＤが記憶装置１６に記憶された登録認証コードＣＤＲである場合（読み取った認証コードＣＤと登録認証コードＣＤＲとの相互認証がなされた場合）（ステップＳ４においてＹＥＳ）、制御装置１０は、入金装置１２を制御して、入金装置１２を許可状態にする（ステップＳ５）。
【００４６】
続いて、制御装置１０は、入金装置１２に貨幣が入金されたか否かを判定する（ステップＳ６）。
【００４７】
入金装置１２に貨幣が入金された場合（ステップＳ６においてＹＥＳ）、制御装置１０は、入金情報ＬＯＧを記憶部１１６に記憶し（ステップＳ７）、入金装置１２の制御処理を終了する（ＥＮＤ）。
【００４８】
ステップＳ６における判定の結果、所定時間内に入金装置１２に貨幣が入金されない場合（ステップＳ６においてＮＯ）、制御装置１０は、読み取った認証コードＣＤに対して相互認証された登録認証コードＣＤＲが、記憶装置１６に記憶された第１権限種別コードＵＩＤ１に紐づけられたものであるか否かを判定する（ステップＳ８）。
【００４９】
ステップＳ８における判定の結果、読み取った認証コードＣＤに対して相互認証された登録認証コードＣＤＲが、記憶装置１６に記憶された第１権限種別コードＵＩＤ１に紐づけられたものでない場合（ステップＳ８においてＮＯ）、制御装置１０は、入金装置１２の制御処理を終了する（ＥＮＤ）。
【００５０】
ステップＳ８における判定の結果、読み取った認証コードＣＤに対して相互認証された登録認証コードＣＤＲが、記憶装置１６に記憶された第１権限種別コードＵＩＤ１に紐づけられたものである場合（ステップＳ８においてＹＥＳ）、図４に示すように、制御装置１０は、コード読取装置１５によって認証コードＣＤを読み取るまで所定時間待機する（ステップＳ９）。
【００５１】
制御装置１０は、コード読取装置１５によって認証コードＣＤを読み取ると（ステップＳ９においてＹＥＳ）、読み取った認証コードＣＤに対して相互認証された登録認証コードＣＤＲが、記憶装置１６に記憶された第１権限種別コードＵＩＤ１に紐づけられたものであるか否かを判定する（ステップＳ１０）。
【００５２】
ステップＳ１０における判定の結果、読み取った認証コードＣＤに対して相互認証された登録認証コードＣＤＲが、記憶装置１６に記憶された第１権限種別コードＵＩＤ１に紐づけられたものである場合（ステップＳ１０においてＹＥＳ）、認証コードＣＤの読み取りを所定時間継続する（ステップＳ９に戻る）。
【００５３】
ステップＳ１０における判定の結果、読み取った認証コードＣＤに対して相互認証された登録認証コードＣＤＲが、記憶装置１６に記憶された第１権限種別コードＵＩＤ１に紐づけられたものでない場合（ステップＳ１０においてＮＯ）、読み取った認証コードＣＤに対して相互認証された登録認証コードＣＤＲが、記憶装置１６に記憶された第２権限種別コードＵＩＤ２であるか否かを判定する（ステップＳ１１）。
【００５４】
ステップＳ１１における判定の結果、読み取った認証コードＣＤに対して相互認証された登録認証コードＣＤＲが、記憶装置１６に記憶された第２権限種別コードＵＩＤ２に紐づけられたものでない場合（ステップＳ１１においてＮＯ）、制御装置１０は、読み取った認証コードＣＤに対する登録認証コードＣＤＲを第２権限種別コードＵＩＤ２に紐づけて、記憶装置１６に記憶する。すなわち、制御装置１０は、相互認証がなされた場合、記憶装置１６に対して、ユーザを追加登録する（ステップＳ１２）。
そして、ステップＳ１２において、読み取った認証コードＣＤに対する登録認証コードＣＤＲの記憶装置１６への記憶、すなわち、ユーザの追加登録が完了すると、制御装置１０は、入金装置１２の制御処理を終了する（ＥＮＤ）。
【００５５】
ステップＳ１１における判定の結果、読み取った認証コードＣＤに対して相互認証された登録認証コードＣＤＲが、記憶装置１６に記憶された第２権限種別コードＵＩＤ２に紐づけられたものである場合（ステップＳ１１においてＹＥＳ）、制御装置１０は、読み取った認証コードＣＤに対する登録認証コードＣＤＲを、記憶装置１６から削除する。すなわち、制御装置１０は、相互認証がなされた場合、記憶装置１６から、ユーザを抹消登録する（ステップＳ１３）。
そして、ステップＳ１３において、読み取った認証コードＣＤに対する登録認証コードＣＤＲの記憶装置１６からの削除、すなわち、ユーザの抹消登録が完了すると、制御装置１０は、入金装置１２の制御処理を終了する（ＥＮＤ）。
【００５６】
（入金機１への入金方法）
次に、ユーザによる入金機１への入金方法について説明する。
（Ａ１）店員Ｃは、まず、トリガボタンＴｒを押下する。すると、コード読取装置１５が認証コードＣＤの読み取りを開始する。出力装置１４には、認証コードＣＤの読み取りを促す内容が表示される。
（Ａ２）次に、店員Ｃは、携帯端末３の表示装置３２に、第３認証コードＣＤ３を表示させた状態で、表示装置３２をコード読取装置１５に向けて、第３認証コードＣＤ３をコード読取装置１５に読み取らせる。
（Ａ３）すると、第３認証コードＣＤ３に対応する第３登録認証コードＣＤＲ３が参照テーブル（図６参照）に登録されているので、入金装置１２が許可状態になる。
そして、店員Ｃは、店舗の売上金等、例えば、一万円札を３枚、入金装置１２に入金する。
（Ａ４）これにより、入金機１の記憶装置１６には、店員Ｃによる入金に関する入金情報ＬＯＧが記憶される。
このように、入金機１は、ユーザが入金する前に、ユーザが所有する認証コードＣＤと入金機１にあらかじめ登録された登録認証コードＣＤＲとの相互認証をするまで入金を受け付けないので、入金機１にあらかじめ登録されたユーザのみが入金可能となっている。よって、入金を制限できる入金機１を提供できる。
【００５７】
（入金機１へのユーザ追加登録及び抹消登録の方法）
次に、ユーザによる入金機１へのユーザ追加登録及び抹消登録について説明する。
図６は、登録認証コードＣＤＲと権限種別コードＵＩＤとの関係を示す参照テーブルである。図７は、第６登録認証コードＣＤＲ６が追加された参照テーブルである。
【００５８】
以下では、主に、例えば、ユーザ登録権限のあるユーザであって、入金機１が設置されたフランチャイズ店舗の店長Ａと、ユーザ登録権限のあるユーザであって、フランチャイジーの社員Ｂと、入金権限のあるユーザとして入金機１に既に登録された店員Ｃ、店員Ｄ及び店員Ｅがおり、店長Ａがその店舗に新たに配属された店員Ｆを入金権限のあるユーザとして入金機１に新規に登録する場面を想定する。
【００５９】
ここで、店長Ａ、社員Ｂ、店員Ｃ、店員Ｄ、店員Ｅ及び店員Ｆには、それぞれ、第１認証コードＣＤ１、第２認証コードＣＤ２、第３認証コードＣＤ３、第４認証コードＣＤ４、第５認証コードＣＤ５及び第６認証コードＣＤ６が付されたカードＣ（図１参照）が配布されているか、各認証コードＣＤを表示できる、スマートフォン等の装置を有している。なお、各認証コードＣＤは、ＱＲコードであってもバーコードであってもよい。
【００６０】
また、第１権限種別コードＵＩＤ１は入金機１への入金権限及び入金機１へのユーザ登録権限を有するユーザを示しており、第２権限種別コードＵＩＤ２は入金権限は有するがユーザ登録権限は有さないユーザを示している。なお、適宜、第１権限種別コードＵＩＤ１及び第２権限種別コードＵＩＤ２に、入金情報ＬＯＧの参照権限を付与してもよい。
入金機１の記憶装置１６には、図６に示すように、登録認証コードＣＤＲと権限種別コードＵＩＤとの関係が、参照テーブルとして、あらかじめ登録されている。具体的には、第１登録認証コードＣＤＲ１及び第２登録認証コードＣＤＲ２がそれぞれ第１権限種別コードＵＩＤ１に紐づけられており、第３登録認証コードＣＤＲ３、第４登録認証コードＣＤＲ４及び第５登録認証コードＣＤＲ５がそれぞれ第２権限種別コードＵＩＤ２に紐づけられている。
【００６１】
（Ｂ１）店長Ａは、まず、トリガボタンＴｒを押下する。すると、コード読取装置１５が認証コードＣＤの読み取りを開始する。出力装置１４には、認証コードＣＤの読み取りを促す内容が表示される。
（Ｂ２）次に、店長Ａは、携帯端末３の表示装置３２に、第１認証コードＣＤ１を表示させた状態で、表示装置３２をコード読取装置１５に向けて、第１認証コードＣＤ１をコード読取装置１５に読み取らせる。
（Ｂ３）すると、第１認証コードＣＤ１に対応する第１登録認証コードＣＤＲ１が参照テーブル（図６参照）に登録されているので、入金装置１２が許可状態になる。
（Ｂ４）ところで、第１認証コードＣＤ１が参照テーブルに登録された第１権限種別コードＵＩＤ１に対応しているので、制御装置１０は、再び、コード読取装置１５が認証コードＣＤの読み取りを開始する。なお、出力装置１４には、追加登録対象ユーザ又は抹消登録対象ユーザの認証コードＣＤの読み取りを促す内容が表示される。
（Ｂ５）ここで、店員Ｆは、第６認証コードＣＤ６が表示されたカードＣを、表示装置３２をコード読取装置１５に向けて、第６認証コードＣＤ６をコード読取装置１５に読み取らせる。なお、店員Ｆは、所有するスマートフォン等の装置に、第６認証コードＣＤ６を表示させた状態で、その装置をコード読取装置１５に向けて、第６認証コードＣＤ６をコード読取装置１５に読み取らせてもよく、店長Ａの携帯端末３に第６認証コードＣＤ６を読み取らせてから、店長Ａの携帯端末３の表示装置３２に表示して、店長Ａが入金機１のコード読取装置１５に読み取らせてもよい。
（Ｂ６）すると、図７に示すように、第６認証コードＣＤ６に対応する第６登録認証コードＣＤＲ６が第２権限種別コードＵＩＤ２と紐づけられた状態で参照テーブルに登録される。これにより、店員Ｆに入金権限が与えられるので、店員Ｆは、以降、第６認証コードＣＤ６と第６登録認証コードＣＤＲ６との相互認証を経ることで、入金機１に入金できるようになる。
なお、店長Ａが店員を入金機１から抹消登録したい場合、店長Ａは、抹消登録したい店員の認証コードＣＤをコード読取装置１５に読み取らせる操作をし、その他は上記と同様の操作をする。
このようにして、ユーザ登録権限のある店長Ａは、入金権限を与えたい店員Ｆを入金機１に追加登録したり、入金権限を失効させたい店員を入金機１から抹消登録できる。
【００６２】
また、入金機１に、ユーザを追加登録するためのテンキー、タッチパネル等の入力インターフェースを設ける必要がなくなり、入金機１をシンプルな構造にできる。
【００６３】
以上、本発明の好ましい実施形態について詳述したが、本発明に係る入金機１は上述した実施形態に限定されるものではなく、特許請求の範囲に記載された本発明の要旨の範囲内において、種々の変形、変化が可能である。
【００６４】
本発明の入金機１によれば、登録認証コードＣＤＲを記憶する記憶装置１６と、貨幣を収納する貨幣収納箱１１と、貨幣収納箱１１に貨幣を搬送する入金装置１２と、入金装置１２を、入金を許可する許可状態と入金を制限する制限状態とで切り換え可能な制御装置１０と、を備えた入金機１であって、入金機１は認証コードＣＤを読み取り可能なコード読取装置１５を備え、制御装置１０は、コード読取装置１５で読み取られた認証コードＣＤと登録認証コードＣＤＲとの相互認証がなされた場合、入金装置１２を制限状態から許可状態に切り替えるので、相互認証がなされなければ入金装置１２を制限状態に維持でき、入金を制限できる入金機１を提供できる。
【符号の説明】
【００６５】
１      入金機
２      管理サーバ
３      携帯端末
１０    制御装置
１１    貨幣収納箱
１２    入金装置
１３    ロック装置
１４    出力装置
１５    コード読取装置
１６    記憶装置
１７Ａ  金庫扉
１７Ｂ  メンテナンス扉
１８    入金機通信装置
１９    近距離無線通信装置
２０    制御装置
２１    管理サーバ通信装置
３０    制御装置
３１    携帯端末通信装置
３２    表示装置
３３    近距離無線通信装置
１００  入金機管理システム
１１２  入金制御部
１１３  ロック制御部
１１４  出力制御部
１１５  コード読取制御部
１１６  記憶部
１１８  入金機通信部
１１９  近距離無線通信部
２２１  管理サーバ通信制御部
３３１  携帯端末通信制御部
３３２  表示制御部
ＣＤ    認証コード
ＣＤ１  第１認証コード
ＣＤ２  第２認証コード
ＣＤ３  第３認証コード
ＣＤ４  第４認証コード
ＣＤ５  第５認証コード
ＣＤ６  第６認証コード
ＣＤＲ  登録認証コード
ＣＤＲ１  第１登録認証コード
ＣＤＲ２  第２登録認証コード
ＣＤＲ３  第３登録認証コード
ＣＤＲ４  第４登録認証コード
ＣＤＲ５  第５登録認証コード
ＣＤＲ６  第６登録認証コード
ＩＮ    入金額
ＬＯＧ  入金情報
ＮＥＴ  ネットワーク
Ｓ      貨幣収納部
Ｔ      入金総額
Ｔｒ    トリガボタン
ＵＩＤ    権限種別コード
ＵＩＤ１  第１権限種別コード
ＵＩＤ２  第２権限種別コード
【図１】
2019219754.tif 000003
【図２】
2019219754.tif 000004
【図３】
2019219754.tif 000005
【図４】
2019219754.tif 000006
【図５】
2019219754.tif 000007
【図６】
2019219754.tif 000008
【図７】
2019219754.tif 000009